(57)【要約】    【課題】  過給機のシール部が摩耗した場合に、摩耗部分のみを交換可能とし、更にシール部の耐摩耗性を向上させ、保守費用を低減させる。    【解決手段】  タービン４２を収納するタービンハウジングと、タービン軸を収納する軸受ハウジングとを具備し、前記タービンハウジングと前記軸受ハウジングの境界部と、前記タービン軸との間にシール部が設けられ、該シール部は前記タービン軸に圧入又は焼嵌めされたシールブッシュ４５と、該シールブッシュと前記境界部間に掛渡って設けられたシールリングを有する。    【選択図】          図１
2008106639.tif 000002
【特許請求の範囲】
【請求項１】
タービンを収納するタービンハウジングと、タービン軸を収納する軸受ハウジングとを具備し、前記タービンハウジングと前記軸受ハウジングの境界部と、前記タービン軸との間にシール部が設けられ、該シール部は前記タービン軸に圧入又は焼嵌めされたシールブッシュと、該シールブッシュと前記境界部間に掛渡って設けられたシールリングを有することを特徴とする過給機。
【請求項２】
前記シールブッシュは前記シールリングが嵌入する溝を有し、該溝、前記シールリングの少なくとも一方に耐摩耗処理がなされた請求項１の過給機。
【請求項３】
前記シールブッシュの外面、内面の両面に耐摩耗処理がなされた請求項１の過給機。
【請求項４】
前記タービン軸に前記シールブッシュが嵌合するブッシュ嵌合部が形成され、該ブッシュ嵌合部に隣接する段差部が形成され、前記シールブッシュは前記段差部に当接する様に設けられ、該段差部と前記シールブッシュの先端内縁部との間に間隙が形成され、前記段差部と前記シールブッシュ間には前記間隙に連通する空気抜き溝が設けられた請求項１の過給機。
【請求項５】
前記タービン軸に前記シールブッシュが嵌合するブッシュ嵌合部が形成され、該ブッシュ嵌合部は前記シールブッシュ内面の一部に当接し、前記ブッシュ嵌合部の境界は前記溝の溝底隅部に対し軸心方向位置がずれている請求項２の過給機。
【発明の詳細な説明】
【技術分野】
【０００１】
本発明は、内燃機関の給気圧力を高め該内燃機関の出力を増大する過給機付きエンジン、特に舶用のエンジンに用いられる過給機に関するものである。
【背景技術】
【０００２】
内燃機関に用いられる過給機は、内燃機関の排気エネルギを利用してタービンを駆動し、該タービンにより圧縮機を駆動し、給気圧力を高めるものである。
【０００３】
図８に於いて、従来の過給機について説明する。
【０００４】
軸受ハウジング１を挾み両側にタービンハウジング２、コンプレッサハウジング３が同軸上に連設され、前記軸受ハウジング１にはタービン軸４が軸受５を介して回転自在に支持され、前記タービン軸４の一端部には前記タービンハウジング２に収納されるタービン翼車６が固着され、前記タービン軸４の他端部にはコンプレッサ翼車７が固着されている。
【０００５】
前記タービン翼車６は高温の排気ガス中で回転することから、耐熱合金、セラミック材等から構成され、前記タービン軸４は通常鋼製であり、該タービン軸４と前記タービン翼車６とは溶接等所要の手段で一体化されていた。
【０００６】
前記軸受ハウジング１内部には軸受支持部１０が形成され、該軸受支持部１０に前記軸受５が嵌設されている。前記軸受支持部１０の周囲は空洞８となっており、前記軸受ハウジング１の下部には前記空洞８に連通する排油孔９が穿設されている。前記軸受ハウジング１の所要位置には潤滑油導入孔１１が穿設され、前記軸受支持部１０には油路１２及び通孔１３が穿設され、前記油路１２は前記潤滑油導入孔１１に連通し、前記軸受５に潤滑油を導き、前記通孔１３は前記軸受５から流出される潤滑油を前記空洞８に排出する様になっている。
【０００７】
前記潤滑油導入孔１１はエンジンの潤滑油循環回路（図示せず）に連通しており、前記排油孔９は前記潤滑油循環回路のオイルクーラ（図示せず）に接続されている。
【０００８】
前記軸受ハウジング１の前記タービンハウジング２との接合面に沿って冷却水流路１４が形成され、該冷却水流路１４はエンジンの冷却水循環回路（図示せず）に連通している。
【０００９】
前記タービンハウジング２は前記タービン翼車６の周囲に形成されたスクロール通路１５を有し、該スクロール通路１５は環状ガス流路１６を介して前記タービン翼車６と連通している。又、前記タービンハウジング２は中央部に前記タービン翼車６と同心の排気口１７が形成されている。
【００１０】
前記コンプレッサハウジング３は前記軸受ハウジング１に同心に固着されるシールプレート２４と該シールプレート２４に同心に固着されるハウジング本体２５から構成され、前記コンプレッサ翼車７の周囲に環洞流路２６が形成される構造となっている。該環洞流路２６の所要位置には吐出孔（図示せず）が連通され、該吐出孔（図示せず）は図示しないエンジンの燃焼室側と連通している。又、前記ハウジング本体２５の中央には前記コンプレッサ翼車７に臨み該コンプレッサ翼車７と同心の吸入孔２３が形成されている。
【００１１】
前記コンプレッサ翼車７の周囲には前記環洞流路２６に連通するディフューザ部２８が形成されている。
【００１２】
エンジン（図示せず）からの排気ガスは、前記スクロール通路１５、前記環状ガス流路１６を通過し、前記タービン翼車６を通過して前記排気口１７から排出され、排気ガスの通過排出過程で、前記タービン翼車６を回転させる。
【００１３】
該タービン翼車６の回転により、前記タービン軸４を介して前記コンプレッサ翼車７が回転され、前記吸入孔２３より燃焼用空気が吸入され、吸入された燃焼用空気は前記コンプレッサ翼車７の回転及び前記ディフューザ部２８を通過することで圧縮され、前記環洞流路２６に流入する。圧縮された空気は該環洞流路２６から前記吐出孔（図示せず）を経てエンジン（図示せず）に給気される。
【００１４】
前記軸受５には前記潤滑油導入孔１１から潤滑油が供給され、前記タービン軸４の回転部分を潤滑し、前記通孔１３、前記空洞８、前記排油孔９を経て排出される。前記潤滑油は軸の回転部分を潤滑すると共に前記タービン軸４、前記軸受５の冷却も行う。前記タービンハウジング２を流通する排気ガスは高温であり、該タービンハウジング２から伝達される熱で前記軸受ハウジング１の温度が高くなりすぎない様に、前記冷却水流路１４を流通する冷却水で前記軸受ハウジング１の前記タービンハウジング２接合部分を冷却している。
【００１５】
又、高温の排気ガスが流通する前記タービンハウジング２内部と、前記潤滑油、前記冷却水によって冷却される前記空洞８とを遮断する為のシール部３１が、前記軸受ハウジング１の前記タービンハウジング２との境界部に設けられる。
【００１６】
前記シール部３１について説明する。
【００１７】
該シール部３１は前記タービン軸４のネック部３２と、該ネック部３２が貫通する前記軸受ハウジング１の孔３３とによって構成されている。
【００１８】
前記ネック部３２には２つの溝３４，３５、及び該溝３４，３５に隣接する土手部３６，３７が形成され、前記タービン翼車６側の前記溝３４にはＣ型のシールリング３８が摺動自在に嵌合され、該シールリング３８は弾性による拡大力によって前記軸受ハウジング１に固定されている。従って、前記タービンハウジング２の内部と前記軸受ハウジング１の内部とは前記シールリング３８によって遮断されている。
【００１９】
又、もう１つの前記溝３５は、前記軸受５に供給された潤滑油が前記タービンハウジング２側に浸入しない様に、前記土手部３７との相互作用により、油切りを行う。
【００２０】
上記過給機が舶用内エンジンに用いられた場合、排気ガスが高温である為、その熱と潤滑油が反応し、非常に硬い物質が生成される。未燃物は、前記シール部３１の隙間に浸入し、蓄積されるので、前記ネック部３２の前記シールリング３８、前記溝３４、前記土手部３６等を摩耗させる。
【００２１】
前記シールリング３８、前記溝３４、前記土手部３６の摩耗により、隙間が増大し、高温の排気ガスが前記空洞８内に浸入することで、潤滑油が硬質の異物に変質する等する。この為、未燃物、異物により更に摩耗が進行して、前記シール部３１の機能が失われる事態も考えられる。
【００２２】
この為、前記ネック部３２を硬化処理する等して耐摩耗性の向上が望まれるが、前記タービン翼車６と前記タービン軸４が一体の状態で前記ネック部３２を硬化処理することは難しく、限られた硬化処理しかできなかった。又、前記ネック部３２に硬化処理、例えばクロムモリブデン鋼鋼材に高周波焼入、窒化処理を実施したとしても、高周波焼入、窒化処理等で得られる硬さは、ビッカース硬さＨｖ５００〜６００程度である。
【００２３】
又、硬質な材料を溶射して硬化処理をする方法も考えられるが、前記タービン軸４と前記タービン翼車６とが一体である場合は、やはり施工が困難であるという問題があった。
【００２４】
又前記溝３４部が部分的に摩耗した場合でも、前記タービン軸４と前記タービン翼車６とが一体構造の場合、前記タービン軸４と前記タービン翼車６を交換しなければならなかった。
【００２５】
【特許文献１】特開２００４−１３８００７号公報
【発明の開示】
【発明が解決しようとする課題】
【００２６】
本発明は斯かる実情に鑑み、過給機のシール部が摩耗した場合に、摩耗部分のみを交換可能とし、更にシール部の耐摩耗性を向上させ、保守費用を低減させるものである。
【課題を解決するための手段】
【００２７】
本発明は、タービンを収納するタービンハウジングと、タービン軸を収納する軸受ハウジングとを具備し、前記タービンハウジングと前記軸受ハウジングの境界部と、前記タービン軸との間にシール部が設けられ、該シール部は前記タービン軸に圧入又は焼嵌めされたシールブッシュと、該シールブッシュと前記境界部間に掛渡って設けられたシールリングを有する過給機に係るものである。
【００２８】
又本発明は、前記シールブッシュは前記シールリングが嵌入する溝を有し、該溝、前記シールリングの少なくとも一方に耐摩耗処理がなされた過給機に係るものである。
【００２９】
又本発明は、前記シールブッシュの外面、内面の両面に耐摩耗処理がなされた過給機に係るものである。
【００３０】
又本発明は、前記タービン軸に前記シールブッシュが嵌合するブッシュ嵌合部が形成され、該ブッシュ嵌合部に隣接する段差部が形成され、前記シールブッシュは前記段差部に当接する様に設けられ、該段差部と前記シールブッシュの先端内縁部との間に間隙が形成され、前記段差部と前記シールブッシュ間には前記間隙に連通する空気抜き溝が設けられた過給機に係るものである。
【００３１】
更に又本発明は、前記タービン軸に前記シールブッシュが嵌合するブッシュ嵌合部が形成され、該ブッシュ嵌合部は前記シールブッシュ内面の一部に当接し、前記ブッシュ嵌合部の境界は前記溝の溝底隅部に対し軸心方向位置がずれている過給機に係るものである。
【発明の効果】
【００３２】
本発明によれば、タービンを収納するタービンハウジングと、タービン軸を収納する軸受ハウジングとを具備し、前記タービンハウジングと前記軸受ハウジングの境界部と、前記タービン軸との間にシール部が設けられ、該シール部は前記タービン軸に圧入又は焼嵌めされたシールブッシュと、該シールブッシュと前記境界部間に掛渡って設けられたシールリングを有するので、前記シールブッシュが摩耗した場合には、該シールブッシュを交換することができ、最小限のコストでシール性能を維持できる。
【００３３】
又本発明によれば、前記シールブッシュは前記シールリングが嵌入する溝を有し、該溝、前記シールリングの少なくとも一方に耐摩耗処理がなされたので、前記シールブッシュ、前記シールリングの交換間隔が長くなり、保守コストが低減する。又前記シールブッシュ、前記シールリングはタービン軸とは別部品であるので、単体で耐摩耗処理が行え、施工性、耐摩耗処理の品質が向上する。
【００３４】
又本発明によれば、前記シールブッシュの外面、内面の両面に耐摩耗処理がなされたので、耐摩耗性、疲労強度が増大する。
【００３５】
又本発明によれば、前記タービン軸に前記シールブッシュが嵌合するブッシュ嵌合部が形成され、該ブッシュ嵌合部に隣接する段差部が形成され、前記シールブッシュは前記段差部に当接する様に設けられ、該段差部と前記シールブッシュの先端内縁部との間に間隙が形成され、前記段差部と前記シールブッシュ間には前記間隙に連通する空気抜き溝が設けられたので、前記間隙に残置した、或は浸入した潤滑油等が前記空気抜き溝より、放出され、熱による劣化、変質による異物の析出が防止される。
【００３６】
更に又本発明によれば、前記タービン軸に前記シールブッシュが嵌合するブッシュ嵌合部が形成され、該ブッシュ嵌合部は前記シールブッシュ内面の一部に当接し、前記ブッシュ嵌合部の境界は前記溝の溝底隅部に対し軸心方向位置がずれているので、前記境界と前記溝の溝底隅部との相互作用による前記シールブッシュに発生する応力の増大を抑制できる等の優れた効果を発揮する。
【発明を実施するための最良の形態】
【００３７】
以下、図面を参照しつつ本発明を実施する為の最良の形態を説明する。
【００３８】
図１は本発明に係る過給機のタービン軸４１、タービン翼車４２部分を示す部分図であり、図２はネック部３２の部分拡大図である。
【００３９】
尚、本発明に係る過給機の構造は、図８で示したものと同等であり、以下は説明を省略する。又、本発明に係るタービン軸４１、タービン翼車４２は上記過給機のタービン軸４、タービン翼車６と同仕様であり、互換性を有する様に製作することも可能である。
【００４０】
前記タービン翼車４２を耐熱合金、例えばニッケル耐熱合金であるインコネル（登録商標）で製作し、該タービン翼車４２に鋼製の前記タービン軸４１の一端（以下先端）を溶接付けする。
【００４１】
該タービン軸４１は、軸本体４３及び該軸本体４３の先端部（ブッシュ嵌合部４４）に圧入又は焼嵌めされたシールブッシュ４５によって構成され、該シールブッシュ４５を前記ブッシュ嵌合部４４に圧入又は焼嵌めした状態では、前記タービン軸４１は従来のタービン軸４と同仕様となっており、前記ブッシュ嵌合部４４の先端が前記タービン翼車４２に溶接される。
【００４２】
前記軸本体４３は、前記ブッシュ嵌合部４４に連続する軸受嵌合部４６を有し、前記タービン翼車４２に溶接される前記ブッシュ嵌合部４４の先端と前記タービン翼車４２の境界には段差が形成され、前記ブッシュ嵌合部４４の先端部には応力緩和の為のＲ加工によるＲ溝４７が形成されている。又、前記ブッシュ嵌合部４４と前記軸受嵌合部４６との境界部にもＲ溝４８が形成され、該Ｒ溝４８の先端側のＲ溝縁４８ａは前記ブッシュ嵌合部４４の後端側境界となっている。
【００４３】
前記シールブッシュ４５には土手部３９と土手部３６との間に溝３４が形成され、前記土手部３６と土手部３７との間に溝３５が形成されている。前記溝３４にはシールリング３８（図８参照）が嵌合され、前記溝３５と前記土手部３７によって油切りが構成される。
【００４４】
前記シールブッシュ４５の先端側内縁部はＲ面取り４９され、又前記シールブッシュ４５の後端内縁はＣ面取り５１されている。前記Ｒ面取り４９は前記シールブッシュ４５の圧入又は焼嵌め時に前記軸本体４３とかじりのない様に、又前記Ｃ面取り５１は前記シールブッシュ４５の引抜き時に前記軸本体４３とのかじりのない様に設けられている。又前記Ｒ面取り４９は前記Ｒ溝４７と干渉しない様になっている。
【００４５】
尚、前記Ｃ面取り５１の内縁は前記Ｒ溝縁４８ａより先端側、即ち前記ブッシュ嵌合部４４の周面上となっている。又、前記Ｒ面取り４９はＣ面取りであってもよく、前記Ｃ面取り５１はＲ面取りであってもよい。
【００４６】
前記シールブッシュ４５の先端面には空気抜き溝５２が刻設され、該空気抜き溝５２は前記Ｒ溝４７と前記Ｒ面取り４９間に形成される間隙５３と連通している。前記空気抜き溝５２は少なくとも２本形成され、該空気抜き溝５２は、前記シールブッシュ４５の回転バランスが取れる様に設けられる。又、前記空気抜き溝５２は前記タービン翼車４２の前記シールブッシュ４５が当接する前記段差の突当て面に形成されてもよい。
【００４７】
前記空気抜き溝５２が設けられることで、前記間隙５３に残置した、或は浸入した潤滑油、或は前記シールブッシュ４５を圧入又は焼嵌めする場合に使用される潤滑剤等が前記空気抜き溝５２から放出される。従って、前記間隙５３に残置した、或は浸入した潤滑油等が、高温で劣化し、変質して、高硬度の異物が析出することが防止される。
【００４８】
又、前記Ｒ溝４７と前記ブッシュ嵌合部４４の境界、即ちＲ溝縁４７ａは前記溝３４の溝縁３４ａに対して前記軸本体４３の軸心方向にずれており、例えば図示の様に、前記溝縁３４ａが先端側にずれている。尚、該溝縁３４ａは後端側にずれていてもよい。
【００４９】
前記シールブッシュ４５は前記ブッシュ嵌合部４４に圧入又は焼嵌めされ、圧入又は焼嵌めによる締結力は前記軸本体４３が最高回転し、前記シールブッシュ４５に遠心力が作用した場合も、所要の締結力が残置する様に設定される。
【００５０】
前記シールブッシュ４５は前記軸本体４３に圧入又は焼嵌めにより嵌着され、圧入又は焼嵌めによる締結力以上の引抜き力を作用することで抜脱され、前記シールブッシュ４５は前記軸本体４３に対して交換可能となっている。
【００５１】
尚、前記シールブッシュ４５の材質としては、例えばＳＡＣＭ、炭素鋼鋼材（Ｓ材）、マンガン鋼鋼材（ＳＭｎ材）、マンガンクロム鋼鋼材（ＳＭｎＣ材）、クロム鋼鋼材（ＳＣｒ材）、クロムモリブデン鋼鋼材（ＳＣＭ材）、ニッケルクロム鋼鋼材（ＳＮ材）、ニッケルクロムモリブデン鋼鋼材（ＳＮＣＭ材）、工具鋼鋼材（ＳＫＨ材）、チタン合金（Ｔｉ−Ａｌ−Ｖ）等が選択され、又前記シールブッシュ４５に対して耐摩耗処理がなされる。
【００５２】
耐摩耗処理は前記シールブッシュ４５、シールリング３８の少なくとも一方、好ましくは両方に実施され、前記シールブッシュ４５については単体の状態で実施され、特に前記溝３４に対して実施される。
【００５３】
耐摩耗処理としては、摩擦係数を低減する処理として、固体潤滑性を有する材質を前記溝３４、前記シールリング３８の表面にメッキ等の方法により、層形成する。固体潤滑性を有する材質としては、グラファイト、ニッケル、モリブデン等が挙げられ、層硬さがＨｖ５００以上となる様なものは硬化処理としても機能する。
【００５４】
固体潤滑性を有する材質により、前記シールリング３８、前記シールブッシュ４５を表面処理することで、前記シールリング３８、前記溝３４部分の寿命が延びる。例えば、固体潤滑性を有するグラファイトによる耐摩耗処理では約１９倍、ニッケルやモリブデンを含有の耐摩耗処理では約４倍程度寿命を延ばすことが可能である。
【００５５】
耐摩耗処理として、表面の硬化処理がなされる。硬化処理としては、Ａｌ、Ｃｒ、Ｔｉ、Ｗ等の金属やその炭化物を素材表面から拡散浸透させる表面硬化、クロムカーバイト、タングステンカーバイトによる溶射、セラミックスを含んだ材料の物理蒸着又は化学蒸着、ニッケル、ボロン、リンを含んだメッキ等のいずれか１つ又は重合せで少なくともＨｖ５００以上の硬度が得られる様処理される。
【００５６】
次に、耐摩耗処理、硬化処理は、前記シールブッシュ４５の内筒面、前記ブッシュ嵌合部４４を含む前記軸本体４３の先端部にも施工されてもよい。前記シールブッシュ４５の内筒面、前記軸本体４３の先端部に耐摩耗処理、硬化処理することで、前記軸本体４３のネック部３２の疲労強度が増大する。
【００５７】
尚、前記シールブッシュ４５に対して表面処理を実施する場合、前記溝３４の側面に効果的な表面処理がなされることが好ましい。従って、図４（Ａ）（Ｂ）（Ｃ）（Ｄ）に示される様に前記シールブッシュ４５を前記溝３４位置で分割し、該溝３４に対する表面処理の施工性を向上することが可能である。該溝３４位置で分割することで、例えば溶射する場合、側面に対して垂直な方向から実施できるので、堅固な成膜が可能となる。
【００５８】
次に、前記シールブッシュ４５を別体とし、前記軸本体４３に圧入又は焼嵌めする構造としたことで、前記シールブッシュ４５には圧入又は焼嵌めに対応する応力が発生し、又前記軸本体４３回転時には遠心力による応力が作用する。
【００５９】
従って、前記シールブッシュ４５には圧入又は焼嵌め時に発生する応力で破壊しない、又遠心力が作用しても弛みを生じない圧入又は焼嵌めによる締結力が要求される。更に、圧入又は焼嵌めによる締結力は、締め代（圧入代）と、前記ブッシュ嵌合部４４と前記シールブッシュ４５との接触面積によって決定されるので、応力破壊に達しない範囲で締め代と、接触面積が設定される。
【００６０】
次に、図５〜図７に於いて、前記ブッシュ嵌合部４４と前記シールブッシュ４５の嵌合状態に対応した該シールブッシュ４５に発生する最大主応力について説明する。
【００６１】
本発明者による解析結果によると、前記シールブッシュ４５に発生する最大主応力は、前記溝３４の溝底の後端側の隅部、即ち前記溝縁３４ａであることが分っており、又、該溝縁３４ａと前記Ｒ溝縁４７ａとの位置関係で最大主応力の発生状態が異なることも把握している。
【００６２】
図５は前記Ｒ溝縁４７ａに対して前記溝縁３４ａが後端側に位置する場合を示し、図６は前記Ｒ溝縁４７ａと前記溝縁３４ａとが同位置にある場合を示し、図７は前記Ｒ溝縁４７ａに対して前記溝縁３４ａが先端側に位置する場合を示している。
【００６３】
又、図５（Ａ）、図６（Ａ）、図７（Ａ）は前記シールブッシュ４５が圧入又は焼嵌めされ、前記軸本体４３が停止状態の応力発生状態、図５（Ｂ）、図６（Ｂ）、図７（Ｂ）は前記軸本体４３が最大回転時の応力発生状態の、それぞれ一例を示している。尚、図５（Ａ）（Ｂ）、図６（Ａ）（Ｂ）、図７（Ａ）（Ｂ）中下側の線図が、それぞれシールブッシュ４５に発生する最大主応力の位置と大きさを示している。
【００６４】
図５によれば、前記Ｒ溝縁４７ａに対して前記溝縁３４ａが後端側に位置する場合、該溝縁３４ａに発生する最大主応力は停止時の最大主応力を１とした場合、最大回転時で０．９７である。
【００６５】
又図６によれば、前記Ｒ溝縁４７ａと前記溝縁３４ａとが同位置にある場合は、該溝縁３４ａに発生する最大主応力は停止時で１．４７、最大回転時で１．０４である。
【００６６】
又図７によれば、前記Ｒ溝縁４７ａに対して前記溝縁３４ａが先端側に位置する場合、該溝縁３４ａに発生する最大主応力は停止時で０．９５、最大回転時で０．８５である。
【００６７】
又、前記Ｒ溝縁４７ａが接する前記シールブッシュ４５の内面にも集中応力が発生することから、前記Ｒ溝縁４７ａと前記溝縁３４ａとが応力発生に相互作用していると考えられ、前記溝縁３４ａと前記Ｒ溝縁４７ａの位置関係を考慮することで、前記溝縁３４ａに発生する最大主応力を低減させることができる。即ち、少なくとも、前記Ｒ溝縁４７ａと前記溝縁３４ａとの軸心方向の位置をずらせることで前記溝縁３４ａに発生する最大主応力を低減させることができる。
【００６８】
尚、前記シールブッシュ４５に対する表面硬化処理を該シールブッシュ４５の外面、内面の両面に実施することで、発生する応力を更に低減でき、耐摩耗性が向上すると共に疲労強度が増大する。
【００６９】
如上の如く、前記シールブッシュ４５を交換可能にしたので、該シールブッシュ４５が摩耗した場合に前記軸本体４３を変更することなく、前記シールブッシュ４５の交換だけで対応でき、保守コストを大幅に低減できる。
【００７０】
又、前記シールブッシュ４５を別体としたので、表面硬化処理の施工性が向上し、表面硬化処理の品質が向上し、耐摩耗性が向上し、前記シールブッシュ４５の交換間隔が長くなり、保守コストが低減する。
【図面の簡単な説明】
【００７１】
【図１】本発明の実施の形態に係る過給機のタービン軸、タービン翼車を示す部分図である。
【図２】図１のＡ部拡大図である。
【図３】本発明の実施の形態に用いられるシールブッシュの右側面図である。
【図４】（Ａ）（Ｂ）（Ｃ）（Ｄ）は、本発明の実施の形態に用いられるシールブッシュを分割する場合の分割例を示す図である。
【図５】本発明の実施の形態に於けるブッシュ嵌合部に圧入又は焼嵌めされたシールブッシュに発生する最大主応力を示す図であり、（Ａ）はタービン軸の停止時、（Ｂ）はタービン軸の最大回転時を示している。
【図６】本発明の実施の形態に於けるブッシュ嵌合部に圧入又は焼嵌めされたシールブッシュに発生する最大主応力を示す図であり、（Ａ）はタービン軸の停止時、（Ｂ）はタービン軸の最大回転時を示している。
【図７】本発明の実施の形態に於けるブッシュ嵌合部に圧入又は焼嵌めされたシールブッシュに発生する最大主応力を示す図であり、（Ａ）はタービン軸の停止時、（Ｂ）はタービン軸の最大回転時を示している。
【図８】従来の過給機の断面図である。
【符号の説明】
【００７２】
１              軸受ハウジング
２              タービンハウジング
３              コンプレッサハウジング
４              タービン軸
５              軸受
６              タービン翼車
７              コンプレッサ翼車
３１            シール部
３２            ネック部
３４            溝
３４ａ          溝縁
３５            溝
３８            シールリング
４３            軸本体
４４            ブッシュ嵌合部
４５            シールブッシュ
４７            Ｒ溝
４７ａ          Ｒ溝縁
４８            Ｒ溝
４８ａ          Ｒ溝縁
５２            空気抜き溝
５３            間隙
【図１】
2008106639.tif 000003
【図２】
2008106639.tif 000004
【図３】
2008106639.tif 000005
【図４】
2008106639.tif 000006
【図５】
2008106639.tif 000007
【図６】
2008106639.tif 000008
【図７】
2008106639.tif 000009
【図８】
2008106639.tif 000010